(57)【要約】【課題】錠剤が容器の内側面と衝突してわれが生じたり、耳障りな音が生じるのを効果的に回避できると共に、錠剤を移動させてスムーズに取り出すことのできる筒状錠剤容器を提供する。【解決手段】有底筒状の筒容器本体１２と、筒容器本体１２の上端開口１２ａを開閉する蓋体１３とからなり、タブレット（錠剤）１１を積み重ねた状態で収容する筒状錠剤容器１０であって、蓋体１３による天面部１４の内側及び筒容器本体１２の底面部１５の内側から起立して、少なくとも先端部分１６ａ，１７ａが中心側から外側に反って湾曲する薄肉リブ１６，１７が、天面部１４又は底面部１５の中央部を中心とする円周に沿って複数配置され、その先端が筒容器本体１２の内周面に接触することなく設けられている。【選択図】図１
2008133001.tif 000002
【特許請求の範囲】
【請求項１】
有底筒状の筒容器本体と、該筒容器本体の上端開口を開閉する蓋体とからなり、錠剤を積み重ねた状態で収容する筒状錠剤容器であって、
前記蓋体による天面部の内側及び前記筒容器本体の底面部の内側から起立する薄肉リブが、その先端が前記筒容器本体の周壁内周面に接触することなく向うとともに、該周壁に沿って複数配置されている筒状錠剤容器。
【請求項２】
前記錠剤が厚板状のタブレットである請求項１記載の筒状錠剤容器。
【請求項３】
前記蓋体が、前記筒容器本体の上端部内側面に設けた環状シール突起と接触して前記筒容器本体の上端開口をシールするインナー環状リブを備えており、前記蓋体による天面部の内側から起立する薄肉リブは、その先端が前記インナー環状リブを超えて設けられる請求項１又は２記載の筒状錠剤容器。
【請求項４】
前記筒容器本体の有底胴部、若しくは前記蓋体の一方のみが軟質の合成樹脂材料によって形成される請求項１〜３のいずれかに記載の筒状錠剤容器。
【発明の詳細な説明】
【技術分野】
【０００１】
本発明は、筒状錠剤容器に関し、特に、有底筒状の筒容器本体と、該筒容器本体の上端開口を開閉可能に覆う蓋体とからなり、錠剤を積み重ねた状態で収容する筒状錠剤容器に関する。
【背景技術】
【０００２】
錠剤として、例えば円形、三角形、四角形等の平面形状を有する厚板状の錠剤は、いわゆるタブレットとして知られており、例えば薬品類や菓子類を口に入れやすい形態の固形物として提供できるようにするものである。また、タブレットを収容するタブレット容器としては、例えばタブレットを積み重ねた状態で収容する細長い筒状の容器や、タブレットを積み重ねることなく縦横に並べた状態で収容する薄い箱状の容器が用いられる（例えば、特許文献１参照）。さらに、タブレットを積み重ねた状態で収容する容器については、タブレットの残量が少なくなった場合に、錠剤が移動する長さが長くなるため、輸送時や携帯時に容器が振動を受けた際などに、錠剤が容器の内側面と衝突してわれたり、耳障りな音を生じやすくなる。このため、錠剤の容器内での移動を制限して、タブレットが割れてしまう不都合を解消できるようにしたタブレット容器も開発されている（例えば、特許文献２参照）。
【特許文献１】特開２００５−４７６２６号公報
【特許文献２】特開２０００−１６８８５７号公報
【発明の開示】
【発明が解決しようとする課題】
【０００３】
しかしながら、容器内での移動を制限してタブレットの割れを解消できるようにした特許文献２のタブレット容器では、タブレットを個々に分離して収容する仕切りを多数設ける必要があることから、容器の構造が複雑になる。また、仕切りによってタブレットの移動が制限されるため、タブレットを取り出す際には、蓋体を当該タブレットのある位置までその都度スライド移動させる必要があり、使い勝手が悪い。
【０００４】
本発明は、収容された錠剤の残量が少なくなった場合でも、錠剤が容器の内側面と衝突してわれが生じたり、耳障りな音が生じるのを効果的に回避することができると共に、錠剤を移動させてスムーズに取り出すことのできる筒状錠剤容器を提供することを目的とする。
【課題を解決するための手段】
【０００５】
本発明は、有底筒状の筒容器本体と、該筒容器本体の上端開口を開閉する蓋体とからなり、錠剤を積み重ねた状態で収容する筒状錠剤容器であって、前記蓋体による天面部の内側及び前記筒容器本体の底面部の内側から起立して前記筒容器本体の周壁方向に向って好ましくは湾曲し、あるいは屈曲する薄肉リブが、その先端が前記筒容器本体の周壁内周面に接触することなく向うとともに、該周壁に沿って複数配置されている筒状錠剤容器を提供することにより、上記目的を達成したものである。
【発明の効果】
【０００６】
本発明の筒状錠剤容器によれば、収容された錠剤の残量が少なくなった場合でも、錠剤が容器の内側面と衝突してわれが生じたり、耳障りな音が生じるのを低減あるいは防止できる。
【発明を実施するための最良の形態】
【０００７】
本発明の好ましい一実施形態に係る筒状錠剤容器１０は、図１に示すように、錠剤として、例えば厚板状の円盤形状の錠剤であるタブレット１１を縦方向に積み重ねた状態で収容する容器である。本実施形態の筒状錠剤容器１０は、有底筒状の筒容器本体１２の上端開口１２ａの周縁部にヒンジ連結された蓋体１３をヒンジ周りで反転させることで上端開口１２ａを開閉して、上方のタブレット１１から上端開口１２ａを介して順次取り出すことができるようになっている。また本実施形態のタブレット容器１０は、容器１０の天面部１４や底面部１５にタブレット１１が衝突する際の衝撃や音を緩和する衝突緩和機構を備えており、これによってタブレット１１の残量が少なくなった場合でも、タブレット１１にわれが生じたり、耳障りな音が生じたりするのを効果的に低減ないし回避できるようになっている。
【０００８】
そして、本実施形態の筒状錠剤容器１０は、図２（ａ），（ｂ）にも示すように、有底筒状の筒容器本体１２と、この筒容器本体１２の上端開口１２ａを開閉する蓋体１３とからなり、タブレット１１を積み重ねた状態で収容する円筒状の容器であって、蓋体１３による天面部１４の内側及び筒容器本体１２の底面部１５の内側から起立して、少なくとも先端部分１６ａ，１７ａが中心側から外側すなわち筒容器本体１２の周壁１２ｂ方向に向って弧を描いて反るように湾曲する薄肉リブ１６，１７が、天面部１４又は底面部１５の中央部を中心とする円周上に、周壁１２ｂ或いは底面部１５の縁に沿うように各々複数配置されている。これらの薄肉リブ１６、１７はその先端が筒容器本体１２の周壁１２ｂの内周面に接触することなく設けられている。
【０００９】
また、本実施形態では、蓋体１３は、筒容器本体１２の上端部内側面に設けた環状シール突起１８と接触して筒容器本体１２の上端開口１２ａをシールするインナー環状リブ１９を備えている。そして、蓋体１３の天面部１４の内側から起立する薄肉リブ１６は、その先端がインナー環状リブ１９を超えるように、すなわち天面部１４から薄肉リブの先端部１６ａまでの距離がインナー環状リブ１９の頂部１９ａまでの距離より大きくなる形状及び長さで設けられている。
【００１０】
本実施形態では、タブレット容器１０の筒容器本体１２は、略有底円筒形状である有底胴部２０の上端部分に、蓋体１３を備える蓋部材２１の装着スリーブ部２２を装着固定することにより、有底胴部２０と装着スリーブ部２２とが一体となって構成されている。筒容器本体１２の有底胴部２０および蓋体１３（蓋部材２１）の構成材料はポリプロピレン等の合成樹脂からなり、例えば金型を用いた射出成形によって、衝突緩和機構として設けられた薄肉リブ１７をその弾性によって無理抜きしつつ容易に一体成形することができる。また、前記筒容器本体１２の有底胴部２０または前記蓋体１３の何れか一方のみが、軟質の合成樹脂材料によって形成される。これにより、有底胴部２０及び蓋体１３の双方を軟質材料で形成した場合よりも、容器の強度、嵌合シール性、緩衝性に優れた容器が得られる。例えば、有底胴部２０の構成材料として蓋体１３の構成材料より軟質の合成樹脂材料を用いると、嵌合シール性が向上するとともに、錠剤１１が収納される筒容器本体１２全体の緩衝性も向上する。蓋体１３の構成材料として有底胴部２０の構成材料より軟質の合成樹脂材料を用いると、嵌合シール性が向上するとともに、容器強度に優れた容器を得ることができる。有底胴部２０は、例えば８０ｍｍ程度の高さの略有底円筒形状を有しており、例えば内径が１３ｍｍ程度の下端部から内径が１４ｍｍ程度の上端部に向けて、２ｍｍ程度の肉厚で、上方に向かって緩い勾配で僅かに拡径するテーパー状に形成される。有底胴部２０がテーパー状に形成されることにより、射出成形する際の金型が抜き易くなる。
【００１１】
また、本実施形態では、有底胴部２０と装着スリーブ部２２とからなる筒容器本体１２の底面部１５の内側から起立して、４枚の薄肉リブ１７が、底面部１５の中心を中心とする円周上に９０度の等角度ピッチで容器本体１２（有底胴部２０）の周壁１２ｂに沿うように配設されて、その先端１７ａが周壁方向に向かいつつ筒容器本体１２の周壁１２ｂの内周面に接触しないように設けられている。各薄肉リブ１７は、図３に示すように、中心側から外側に向かって斜めに略直線状に起立する下部の略直線部１７ｂと、この略直線状部１７ｂからさらに上方に延設して、中心側から外側に沿って湾曲する上部の湾曲部１７ｃとからなり、全体として例えば３〜１０ｍｍの高さＬ３で起立する。また、湾曲部１７ｃは、中心側から外側に反って湾曲する薄肉リブ１７の先端部分１７ａを構成する。
【００１２】
各薄肉リブ１７は、底面部１５の内側から起立して、片持ち梁状に立設することにより、その弾性によって板バネとして機能する。また各薄肉リブ１７は、中心側から外側に反って湾曲する湾曲部１７ｃを介してタブレット１１からの荷重を支持するので、変形のきっかけをスムーズにつくって外側に拡がるように滑らかに変形することにより、タブレット１１が衝突する際の衝撃を効果的に吸収緩和する。
【００１３】
ここで、本実施形態では、湾曲部１７ｃの長さをＬ1、略直線部１７ｂの長さをＬ2、湾曲部１７ｃと略直線部１７ｂとの境界部分と筒容器本体１２の内周面との間の距離をＨ1、薄肉リブ１７の根元と筒容器本体１２の内周面との間の距離をＨ2、薄肉リブ１７の根元と筒容器本体１２の底面部１５の中心との間の距離をＨ3とした場合に、Ｈ1＞Ｌ1で、且つＨ2＜Ｌ1＋Ｌ2となっている。これによって、薄肉リブ１７が変形しても筒容器本体１２の周壁１２ｂの内周面に触れない状態を保持して、薄肉リブ１７のクッション性を容易に確保することが可能になる。また、Ｈ2＞Ｈ3とすることが好ましく、これによって薄肉リブ１７は周壁１２ｂよりも底部の中心寄りに配置されることとなる。こうすることで、薄肉リブ１７が周壁１２ｂに接触することなく変形するのに充分な空間を設けることができるので、より大きな緩衝効果が得られる。
【００１４】
また、本実施形態では、有底胴部２０の上端部分の外周面には、切欠き段差部２３が設けられている（図２（ａ）参照）。切欠き段差部２３の係合凸部２３ａに係合凹部２２ａを係止しつつ、蓋部材２１の装着スリーブ部２２を有底胴部２０の上端部分に装着固定することにより、有底胴部２０と装着スリーブ部２２とが一体となった筒容器本体１２が形成される。また装着スリーブ部２２の上端開口による筒容器本体１２の上端開口１２ａの周縁部にヒンジ連結されて、当該上端開口１２ａを開閉する蓋体１３が設けられる。
【００１５】
蓋体１３と装着スリーブ部２２とからなる蓋部材２１は、例えばポリプロピレン等の合成樹脂からなる射出成形品であり、ヒンジ連結部２４を介して回動可能に連結する蓋体１３と装着スリーブ部２２とを、開いた状態で、衝突緩和機構として設けられた薄肉リブ１６をその弾性によって無理抜きしつつ容易に一体成形することができる。
【００１６】
蓋部材２１の装着スリーブ部２２は、上述のように、下端内周面に係合凹部２２ａが設けられており、これを係合凸部２３ａに係止しつつ、有底胴部２０の切欠き段差部２３の外周面を覆って装着される。また装着スリーブ部２２による筒容器本体１２の上端部内側面から内側に突出して、環状シール突起１８が設けられている。この環状シール突起１８に、蓋体１３による天面部１４の内側面から突出するインナー環状リブ１９を全周に亘って密着させることにより、上端開口１２ａを蓋体１３で閉塞する際に、当該上端開口１２ａを強固にシールすると共に、閉塞状態を保持することが可能になる。
【００１７】
装着スリーブ部２２にヒンジ連結される蓋体１３は、扁平な有天円筒形状を有しており、ヒンジ連結部２４のバネ作用によって、開放時には、装着スリーブ部２２の上端面に対して略１３０度の角度で開くと共に、閉塞時には、その下端面を装着スリーブ部２２の上端面に当接させる。また、蓋体１３のヒンジ連結部２４とは反対側の周縁部から外側に突出して、指掛けツバ部２５が設けられている。さらに、蓋体１３による天面部１４の内側から起立して、４枚の薄肉リブ１６が、天面部１４の中心を中心とする、インナー環状リブ１９と同心内側の円周上に９０度の等角度ピッチで配設され、蓋体１３を閉塞した際にその先端を筒容器本体１２の周壁１２ｂの内周面に接触させないように設けられている。
【００１８】
各薄肉リブ１６は、筒容器本体１２の底面部１５に設けられた薄肉リブ１７と同様に、先端部分１６ａが中心側から外側に反って湾曲する形状を備え、その先端がインナー環状リブ１９を超えるように、全体として例えば５〜１５ｍｍ程度の高さで起立する。
【００１９】
各薄肉リブ１６は、底面部１５の薄肉リブ１７と同様に、蓋体１３による天面部１４の内側から片持ち梁状に立設することにより、その弾性によって板バネとして機能する。また各薄肉リブ１６は、中心側から外側に反って湾曲する先端部分１６ａを介してタブレット１１からの荷重を支持するので、変形のきっかけをスムーズにつくって外側に拡がるように滑らかに変形することにより、タブレット１１が衝突する際の衝撃を効果的に吸収緩和する。さらに、各薄肉リブ１６は、その先端がインナー環状リブ１９を超えて設けられているので、蓋体１３によって筒容器本体１２の上端開口１２ａを閉塞した際に、インナー環状リブ１９や環状シール突起１８よりも筒容器本体１２の内側まで、すなわち蓋体１３から見て遠い位置まで延設して設置されることになる。これによって、収容されたタブレット１１が、筒容器本体１２の内周面から出っ張って配置されたインナー環状リブ１９や環状シール突起１８と接触するのを回避して、これらとの接触によってタブレット１１が破損するのを防止することが可能になる。
【００２０】
ここで、筒容器本体１２の底面部１５に設けられた薄肉リブ１７は、蓋体１３に設けられた薄肉リブ１６よりも内側、すなわち周壁からより離れた中心寄りの位置に設けることが望ましい。筒容器本体１２の底面部１５に設けられた薄肉リブ１７は、これの周辺の周壁１２ｂにタブレット１１の破損の原因となる凸部がなく、タブレット１１が凸部と接触することがないように薄肉リブ１７を配置する必要がないため、底面部１５の薄肉リブ１７をより内側に設けることが可能になる。これによって、薄肉リブ１７は、より大きく変形しても周壁１２ｂと接触しないように設けることが可能になり、大きな衝撃吸収緩和を発揮することが可能になる。筒状錠剤容器１０は、通常、蓋側を下にした倒立状態より、底側を下にした正立状態で保持、保存されることが多いことから、底面部１５に設けられた薄肉リブ１７による衝撃吸収緩和を高めることによって、より効果的にタブレット１１の破損を防止することが可能になる。
【００２１】
なお、本実施形態では、タブレット１１は、例えば菓子であって、直径１２ｍｍ程度の円形の平面形状を有すると共に、５．５ｍｍ程度の厚さを備える、円盤形状の厚板状の固形物である。タブレット１１がこのような形状を備えることにより、内径が例えば１３〜１４ｍｍ程度の筒容器本体１２に積み重ねた状態で収容された際に、筒容器本体１２の内周面との間に０．５〜２ｍｍ程度、好ましくは最大の隙間が１．６ｍｍ以下の僅かなクリアランスしか存在しないので、タブレット１１の横方向の移動が制限されることにより、タブレット１１の破損や音の発生をより効果的に抑制することが可能になる。尚、クリアランスとは筒容器本体１２の内径とタブレット１１の外径の差をいう。
【００２２】
上述の構成を備える本実施形態の筒状錠剤容器１０では、複数のタブレット１１を筒容器本体１２に積み重ねて収容して、図４に示す蓋体１３を閉塞した状態から、使用者は、例えば筒状錠剤容器１０を片手で把持し、親指を指掛けツバ部２５に係止して上方に押し上げることにより蓋体１３を開放し、筒容器本体１２を傾けたり、倒立させながら上端開口１２ａからタブレット１１を取り出す。またタブレット１１を必要数取り出したら、蓋体１３を反対方向に回動することにより、上端開口１２ａを閉塞して、携帯等に供される。
【００２３】
そして、本実施形態のタブレット容器１０によれば、収容されたタブレット１１の残量が少なくなった場合でも、タブレット１１が容器の内側面と衝突してわれが生じたり、耳障りな音が生じるのを効果的に回避することができると共に、タブレット１１を移動させてスムーズに取り出すことができる。
【００２４】
すなわち、本実施形態によれば、タブレット１１は、有底筒状の筒容器本体１２の内部に積み重ねた状態で収容されるので、横方向の移動が効果的に制限されると共に、タブレット容器１０の蓋体１３による天面部１４及び筒容器本体１２の底面部１５に、複数の薄肉リブ１６，１７による衝突緩和機構が設けられているので、例えばタブレット１１が積み重ねられた状態で整列して上下に移動し、天面部１４や底面部１５に衝突しようとしても、このような衝突時の衝撃を薄肉リブ１６，１７のバネ作用によって効果的に吸収緩和するので、収容されたタブレット１１の残量が少なくなって上下方向に移動する長さが長くなった場合でも、容器１０の携帯時等に収容されたタブレット１１にわれが生じたり、かたかたといった耳障りな音が生じるのを効果的に抑制することが可能になる。
【００２５】
また、本実施形態によれば、タブレット１１は、有底筒状の筒容器本体１２に積み重ねた状態で整列して収容されているので、上述のように蓋体１３を開放して、筒容器本体１２を傾けたり、倒立させながら容器１０の内部で移動させつつ、必要数のタブレット１１を、上端開口１２ａから容易且つスムーズに取り出すことが可能になる。
【００２６】
さらに、本実施形態によれば、例えば筒容器本体１２の有底胴部２０は、蓋体１３（蓋部材２１）よりも軟質の合成樹脂材料によって形成されているので、タブレット１１にわれが生じたり、耳障りな音が生じるのをより効果的に抑制することが可能になると共に、蓋部材２１が例えば硬質プロピレン等の硬質の合成樹脂材料によって形成されていることにより、蓋体１３による開閉性、開放感、シール性等を向上させることが可能になる。
【００２７】
なお、本発明は上記実施形態に限定されることなく種々の変更が可能である。例えば、筒容器本体は、有底円筒形状を有している必要は必ずしもなく、略三角形、略四角形、略多角形等、錠剤の形状に合わせたその他の断面形状の有底筒形状を備えていても良い。また、収容される錠剤は、円盤形状のタブレットである必要は必ずしも無く、その他の平面形状や立体形状を備える厚板状の錠剤の他、球状や六面体形状等の錠剤であっても良い。
【００２８】
さらに、先端部分が中心側から外側に反って湾曲する薄肉リブは、天面部や底面部に４枚づつ設ける必要は必ずしも無く、その数は任意であるが、周方向に略等間隔に３個以上設けるのが好ましい。また、径方向に一列でなく、複数列として設置しても良い。その形状についても、湾曲している部分がリブの先端のみでも、中央部のみでもよいが、少なくとも先端は周壁方向に傾いていることが好ましい。また薄肉リブは、適度の弾性があれば、全体が薄板状のものである必要は必ずしもない。薄肉リブは本体や蓋と一体に成形されていなくも、部品として本体や蓋に装着しても良い。本体と蓋は一体で形成されていても良いし、本体が複数の部材から形成されていても良い。
【図面の簡単な説明】
【００２９】
【図１】本発明の好ましい一実施形態に係る筒状錠剤容器の蓋体を開放した状態を示す一部破断斜視図である。
【図２】（ａ）は本発明の好ましい一実施形態に係るタブレット容器の構成を説明する縦断面図、（ｂ）は蓋体を開放した状態の上面図である。
【図３】筒容器本体の底面部に設けた薄肉リブの形状を説明する模式図である。
【図４】本発明の好ましい一実施形態に係る筒状錠剤容器の蓋体を閉塞した状態を示す正面図である。
【符号の説明】
【００３０】
１０  筒状錠剤容器
１１  タブレット（錠剤）
１２  筒容器本体
１２ａ  筒容器本体の上端開口
１２ｂ  筒容器本体１２の周壁
１３  蓋体
１４  天面部
１５  底面部
１６  天面部の薄肉リブ
１６ａ  薄肉リブの湾曲する先端部分
１７  底面部の薄肉リブ
１７ａ  薄肉リブの湾曲する先端部分
１７ｂ  薄肉リブの略直線状部
１７ｃ  薄肉リブの湾曲部
１８  環状シール突起
１９  インナー環状リブ
１９ａ  インナー環状リブの頂部
２０  有底胴部
２１  蓋部材
２２  装着スリーブ部
２３  切欠き段差部
２４  ヒンジ連結部
２５  指掛けツバ部
【図１】
2008133001.tif 000003
【図２】
2008133001.tif 000004
【図３】
2008133001.tif 000005
【図４】
2008133001.tif 000006